(57)【要約】【課題】トレイを利用してブラシ（櫛や自立しない化粧道具等を含む）を効率良く収納でき、トレイにブラシの保持具としての機能を持たせることによって、ブラシ立てとしての別部品を新たに設ける必要がなく、しかもブラシが倒れたりするのを防止でき、立てた状態で安定良く保持できるので、取り出しがしやすくなり、使用性及び外観向上を図ることができるトレイ及び該トレイ付きミラーキャビネットを提供すること。【解決手段】トレイ１にブラシ立て用の孔部２を穿設すると共に、該孔部２の周縁にブラシ倒れ防止用のガイド３を立設することにより、トレイ１にブラシ保持機能を持たせる。【選択図】        図１
2004173816.tif 000002
【特許請求の範囲】
【請求項１】
トレイにブラシ立て用の孔部を穿設すると共に、該孔部の周縁にブラシ倒れ防止用のガイドを立設したことを特徴とするブラシ保持機能を有するトレイ。
【請求項２】
上記孔部を複数設けたことを特徴とする請求項１記載のブラシ保持機能を有するトレイ。
【請求項３】
上記孔部を複数のブラシが収納可能な平面視で横長状の開口部により形成したことを特徴とする請求項１記載のブラシ保持機能を有するトレイ。
【請求項４】
トレイにブラシ立て用の筒部を一体に設け、筒部にブラシを立てて収納できるようにしたことを特徴とするブラシ保持機能を有するトレイ。
【請求項５】
上記筒部を複数設けたことを特徴とする請求項４記載のブラシ保持機能を有するトレイ。
【請求項６】
上記筒部を複数のブラシが収納可能な平面視で横長状に形成したことを特徴とする請求項４記載のブラシ保持機能を有するトレイ。
【請求項７】
トレイを複数に仕切り、少なくとも１つの仕切られた部分の底面部に前方上がりに傾斜したブラシ置き部を設けると共に、トレイの前壁にブラシの柄を位置決めするための上方に開口した凹所を形成したことを特徴とするブラシ保持機能を有するトレイ。
【請求項８】
上記請求項１乃至請求項７のいずれかに記載のトレイとトレイが取り付けられるミラーキャビネットに、トレイがミラーキャビネットの前方に引き出し可能となるように回転自在に支持するための回転支持部を設けたことを特徴とするトレイ付きミラーキャビネット。
【請求項９】
上記請求項１乃至請求項７のいずれかに記載のトレイをミラーキャビネットに取り付けると共に、ミラーキャビネットにおけるトレイの近傍位置に前方に開口し且つ上下方向に長い収納凹部を設け、トレイの一部が収納凹部内に収納されるブラシ等の脱落防止部材を兼ねることを特徴とするトレイ付きミラーキャビネット。
【請求項１０】
上記収納凹部を複数設けたことを特徴とする請求項９記載のトレイ付きミラーキャビネット。
【発明の詳細な説明】
【０００１】
【発明の属する技術分野】
本発明は、ブラシ保持機能を有するトレイ及び該トレイ付きミラーキャビネットに関し、詳しくは例えば洗面化粧台等（システムキッチンなども含む）に取り付けられるトレイにブラシ立て機能を持たせる技術に関するものである。
【０００２】
【従来の技術】
従来の洗面化粧台等のミラーキャビネットは、ミラー扉の側方に上下複数のトレイを取り付け、各トレイに洗面用具を収納するものが知られている（例えば、特許文献１参照。）。
【０００３】
【特許文献１】
実開平６−１６５号公報
【０００４】
【発明が解決しようとする課題】
ところで、洗面化粧台での整髪行為は当然不可欠なものとして誰もが行うものであるが、従来のトレイにはブラシをはじめとする櫛や自立しない化粧道具を専用に収納する場所がなく、そのために従来ではブラシ等をトレイ内部に平置きしておくか、或いはトレイにコップを置き、このコップの中にブラシ等を立てて入れておくことが一般的であり、ブラシをはじめとする櫛や自立しない化粧道具の収納場所に困っているのが実情である。
【０００５】
本発明は、上記の従来例の問題点に鑑みて発明したものであって、その目的とするところは、トレイを利用してブラシ（櫛や自立しない化粧道具等を含む）を効率良く収納でき、トレイにブラシの保持具としての機能を持たせることによって、ブラシ立てとしての別部品を新たに設ける必要がなく、しかもブラシが倒れたりするのを防止でき、立てた状態で安定良く保持できて取り出しがしやすくなり、使用性向上及び外観向上を図ることができるブラシ保持機能を有するトレイを提供することにあり、他の目的とするところは、ブラシ形状が限定されることがないブラシ保持機能を有するトレイを提供することにあり、他の目的とするところは、ブラシの柄をつかみやすくしかもブラシを位置決めすることができるブラシ保持機能を有するトレイを提供することにあり、更に他の目的とするところは、トレイを回転させてミラーキャビネットの前方に引き出して使用することができるトレイ付きミラーキャビネットを提供することにあり、更に他の目的とするところは、トレイとミラーキャビネットの収納凹部とを利用してブラシ等を収納できるトレイ付きミラーキャビネットを提供することにある。
【０００６】
【課題を解決するための手段】
上記課題を解決するために本発明に係るトレイにあっては、トレイ１にブラシ立て用の孔部２を穿設すると共に、該孔部２の周縁にブラシ倒れ防止用のガイド３を立設したことを特徴としており、このように構成することで、孔部２がブラシ立て機能を持つことによって、トレイ１にブラシ立て専用の別部品を新たに設ける必要がなく、しかもガイド３によってブラシ４の倒れを防止できるので、トレイ１を利用してブラシ４（櫛や自立しない化粧道具等を含む）を安定良く立てた状態で保持でき、取り出しがしやすくなると共に、ブラシ４を平置きしないため、トレイ１内のスペースがブラシ４で制約されることがなく、効率良く収納できるようになる。
【０００７】
また上記孔部２を複数設けるのが好ましく、この場合、ブラシ４をはじめとする櫛や自立しない化粧道具を複数の孔部２に個別に立てて収納できるので、それぞれの収納物体の取り出しが容易となる。
【０００８】
また上記孔部２を複数のブラシ４が収納可能な平面視で横長状の開口部２Ａにより形成するのが好ましく、この場合、開口部２Ａ内に複数のブラシ４をまとめて効率良く且つ安定良く立てて保持できると共に、開口部２Ａを横長状とすることで異なるブラシ形状にも対応できるようになり、ブラシ４の形状が限定されるのを防止できる。
【０００９】
また本発明に係るトレイにあっては、トレイ１にブラシ立て用のブラシ４立て用の筒部５を一体に設け、筒部５にブラシ４を立てて収納できるようにしたことを特徴としており、このように構成することで、筒部５がブラシ立て機能を持つことによって、トレイ１にブラシ立て専用の別部品を新たに設ける必要がなく、低コストを図ることができ、しかも筒部５によってブラシ４の倒れを防止できるので、トレイ１を利用してブラシ４等を安定良く立てた状態で収納でき、取り出しがしやすくなり、且つ外観良く収納できるようになる。
【００１０】
また上記筒部５を複数設けるのが好ましく、この場合、ブラシ４をはじめとする櫛や自立しない化粧道具を複数の筒部５に個別に立てて収納できるので、それぞれの収納物体の取り出しが容易となる。
【００１１】
また上記筒部５を複数のブラシ４が収納可能な平面視で横長状に形成するのが好ましく、この場合、複数のブラシ４を筒部５に効率良く且つ安定良く立てて保持できると共に、ブラシ４の異なる形状等に対応できるようになる。
【００１２】
また本発明に係るトレイにあっては、トレイ１を複数に仕切り、少なくとも１つの仕切られた部分の底面部１ａに前方上がりに傾斜したブラシ置き部６を設けると共に、トレイ１の前壁１ｂにブラシ４の柄４ａを位置決めするための上方に開口した凹所７を形成したことを特徴としており、このように構成することで、前方上がりに傾斜したブラシ置き部６にブラシ４を置くことで、ブラシ４の柄４ａをつかみやすくなり、しかも凹所７にブラシ４の柄４ａを位置決めすることで、ブラシ４を左右に動かないように保持でき、ブラシ４を決まった向き（例えば、上向き）に安定的に保持できるようになる。
【００１３】
また本発明に係るトレイ付きキャビネットにあっては、上記トレイ１とトレイ１が取り付けられるミラーキャビネット１０に、トレイ１をミラーキャビネット１０の前方Ｆに引き出し可能となるように回転自在に支持するための回転支持部９を設けたことを特徴としており、このように構成することで、トレイ１を回転させてミラーキャビネット１０の前方Ｆに引き出すことによって、ブラシ４の柄４ａが下側の収納物体の取り出しの邪魔になったりすることがなく、またトレイ１の後方部の収納物体が取り出しやすくなる。
【００１４】
また本発明に係るトレイ付きキャビネットにあっては、上記トレイ１をミラーキャビネット１０に取り付けると共に、ミラーキャビネット１０におけるトレイ１の近傍位置に前方Ｆに開口し且つ上下方向に長い収納凹部８を設け、トレイ１の一部が収納凹部８内に収納されるブラシ４等の脱落防止部材を兼ねることを特徴としており、このように構成することで、トレイ１とミラーキャビネット１０の収納凹部８とを利用してブラシ４等を収納できると共に、トレイ１をガードバーとして機能させることで、ブラシ４が取り出しやすく且つ倒れにくくなり、そのうえ脱落防止のための専用の部材を設ける必要がなくなる。
【００１５】
また上記収納凹部８を複数設けるのが好ましく、この場合、各収納凹部８ごとにブラシ４等を複数収納できると共に、各収納凹部８ごとにブラシ立て機能を確保できるようになる。
【００１６】
【発明の実施の形態】
以下、本発明を添付図面に示す実施形態に基づいて説明する。
【００１７】
図１は本実施形態のブラシ立て機能を有するトレイ１を示し、図２は洗面化粧台に用いられるミラーキャビネット１０に上記トレイ１を取り付けた場合の一例を示している。なお図１２はブラシ４をトレイ１に立てて保持した場合の一例を示している。以下の実施形態ではブラシ４を例示するが、もちろんブラシ４以外に、櫛や自立しない化粧道具等を含むものである。
【００１８】
ミラーキャビネット１０は、図２に示すように、収納部を開閉するミラー扉１１と、照明部１２とを備えると共に、ミラー扉１１の側方に例えば上下３段のトレイ１がそれぞれ取り付けられている。
【００１９】
トレイ１は、図１（ａ）（ｂ）に示すように、底面部１ａを囲む前壁１ｂと後壁１ｃと両側壁１ｄとがそれぞれ平面視で湾曲状に形成されており、トレイ１の内面全体が平滑な曲面状となっていると共に、図２（ｄ）に示すように、トレイ１の前壁１ｂとミラー扉１１とが面一状とされている。このトレイ１の一部には、上下方向に開口したブラシ立て用の孔部２が穿設されている。孔部２はトレイ１の任意の位置に設けられる。図１に示す例では、孔部２はトレイ１の前側コーナー部に寄せて形成してある。もちろんこれには限定されず、例えば図４に示すように、トレイ１の後側コーナー部に寄せて形成してよい。なお孔部２は丸い形状である必要はなく、少なくともブラシ４の柄４ａを挿入できる大きさを有していればよい。
【００２０】
上記孔部２の周縁には、ブラシ倒れ防止用のガイド３が立設されている。図１に示す例では、ガイド３は平面視で半円弧状のリブ形状をしており、上記ブラシ立て用の孔部２は、ガイド３とトレイ１の壁部分とで囲まれている。ガイド３はブラシ４の植毛部分４ｃの下端を乗せることで、ブラシ４が倒れたり、孔部２から抜け落ちたりするのを防止する働きをし、さらに図３（ａ）に示すように、トレイ１内の収納物体１３が孔部２から落下するのを防止する働きもする。ここでは、排水性を考慮してガイド３の両端部は図１（ｂ）のようにトレイ１の壁部分と連続しておらず、壁部分の手前で途切れさせてある。
【００２１】
しかして、図１（ｃ）に示すように、孔部２の上方からブラシ４の柄４ａを差し込み、植毛部分４ｃの下端をガイド３に支持することで、トレイ１にブラシ立て機能を持たせることができ、ブラシ立てとしての別部品を新たに設ける必要がなく、低コストを図ることができる。ちなみに図３（ｂ）のようにガイド３がない場合は、ブラシ４が倒れたり、孔部２から抜け落ちたりするおそれがあるが、本例ではガイド３によってブラシ４を孔部２に立てた状態で安定良く保持できるようになり、取り出しやすくなるだけでなく、ブラシ４を平置きしないため、トレイ１のスペースがブラシ４で制約されることがなく、効率良く収納できる。このように、トレイ１を利用してブラシ４を安定良くなる。また本例では、トレイ１の前コーナーに寄せて孔部２を配置しているため、トレイ１内の収納スペースが大きく確保されるだけでなく、トレイ１内の収納物体に妨げられることなくブラシ４を取り出すことができ、使い易く且つ外観良く収納できることとなる。さらにブラシ４の植毛部分４ｃを上にし、柄４ａを下にして孔部２に差し込むことによって、濡れたブラシ４を乾燥させる場合、植毛部分４ｃの水が孔部２から迅速に流れ落ち、植毛部分４ｃの通風を良くすることができるという利点や、トレイ１内に溜まった水はガイド３の両端部から孔部２に排水されるという利点があり、さらにガイド３の両端部を途切れさせることで、水垢等がガイド３の根元に付着したときに掃除がし易くなるという利点もある。
【００２２】
図５は孔部２の他の実施形態を示している。図５（ａ）は孔部２をトレイ１の側壁１ｄに沿って一列に複数（本例では３個）設けてあり、ブラシ４をはじめとする櫛や自立しない化粧道具を複数の孔部２に個別に立てて収納できるので、それぞれの収納物体の取り出しが容易となる。
【００２３】
図５（ｂ）はブラシ立て用の孔部２を複数のブラシ４が収納可能な平面視で横長状の開口部２Ａにより形成した場合の一例である。本例では、トレイ１の後壁１ｃに沿って開口部２Ａを長く穿設すると共に、その前方Ｆにガイド３を立設してある。これにより、複数のブラシ４を上下方向に開口した開口部２Ａ内に効率良く且つ安定良く立てて保持できると共に、開口部２Ａは横長状であるためブラシ４の異なる形状等（例えば柄の形や寸法が異なる場合）に対応できるようになり、ブラシ４の形状が限定されるという不具合を防止できるようになる。なお開口部２Ａの形状及び位置は図５（ｂ）に示す例に限定されない。さらに他例として図６に示すように、トレイ１の側壁１ｄとガイド３との間に巾広の開口２Ｂを設け、この巾広の開口２Ｂの底面部にブラシ立て用の孔部２を構成する開口部２Ａを設け、ブラシ４の柄４ａを上方から開口部２Ａに差し込み、ブラシ本体４ｂを巾広の開口２Ｂ内に納めるようにしてもよい。なおこの開口部２Ａは例えば図７に示すように、ブラシ４の後壁１ｃに沿って形成されてもよい。更に他例として図８に示すように、ガイド３の上端部とトレイ１の側壁１ｄとの間を水平蓋部１４で遮蔽し、水平蓋部１４の中央に平面視で前後方向に横長状に延びた開口部２Ａを形成し、開口部２Ａの下方を開放するようにしてもよい。この場合、図８（ｂ）に示すように、ブラシ４の柄４ａを上方から開口部２Ａに差し込み、ブラシ本体４ｂを開口部２Ａの上方に突出させた状態で保持できるようになる。なお上記図６〜図８のいずれの実施形態においても、開口部２Ａの形状及びその大きさは限定されず、少なくともブラシ４の柄４ａを挿入できる大きさを有していればよいものである。
【００２４】
図９は更に他の実施形態であり、トレイ１の前方部に上下方向に開口したブラシ立て用の筒部５を一体に設けた場合の一例を示している。図９（ａ）は筒部５をトレイ１の前コーナー部に寄せて設けてあり、図９（ｂ）はトレイ１の前壁１ｂの前方部に突出するようにして設けてある。図９（ｂ）の例では、筒部５は中央部が両端部よりも前方に突出するように平面視略三角形状に形成してある。いずれの場合も筒部５の形状、大きさは特に限定されず、少なくともブラシ４の柄４ａを挿入できる大きさを有していればよい。しかして、筒部５の上方からブラシ４の柄４ａを差し込むだけで、トレイ１にブラシ４を立てて収納でき、ブラシ立てとしての別部品を新たに設ける必要がなく、上記実施形態と同様な効果が得られる。しかも、筒部５をトレイ１の前方部に設けることで、トレイ１内に収納される収納物体に妨げられることなく、ブラシ４が取り出しやすくなる。なお図１０に示すように、筒部５の前面にスリット２１を設けるのが望ましい。つまり筒部５は上下方向に開口しており、底面が存在していないことをスリット２１を通して一目でわかるようにすることで、特に細いブラシ４の場合にはその植毛部分を筒部５に引掛けるようにすることによって、ブラシ４が筒部５から抜け落ちるのを防止できるようになる。また図１１（ａ）に示すように、筒部５を複数設けてもよく、この場合、ブラシ４をはじめとする櫛や自立しない化粧道具を複数の筒部５に個別に収納できるので、それぞれの収納物体の取り出しが容易となる。さらに、図１１（ｂ）に示すように、トレイ１の前壁１ｂに沿って筒部５を平面視で横長状に形成してもよく、この場合、複数のブラシ４を効率良く収納できると共に、筒部５を平面視で横長状に形成することにより、ブラシ４形状が限定されることがないものである。
【００２５】
図１３は更に他の実施形態であり、ブラシ置き機能を有するトレイ１の一例を示している。本例ではトレイ１を仕切り２２によって左右２つに仕切り、片方の仕切られた部分の底面部に前方上がりＭに傾斜したブラシ置き部６を設けると共に、トレイ１の前壁１ｂにブラシ４の柄４ａを位置決めするための上方に開口した凹所７を形成してある。ここではブラシ置き部６を断面略Ｕ字状に形成すると共に、凹所７をブラシ置き部６と同じ略Ｕ字状に形成し、凹所７とブラシ置き部６とを面一状に連続させてある。なお他方の仕切られた部分の底面部１ａは水平に形成され、通常の収納物体１３’を収納できるようになっている。しかして、ブラシ置き部６を前方上がりＭに傾斜させたので、ブラシ４の柄４ａが前方上がりとなり、柄４ａを手でつかみやすくなり、しかも凹所７によってブラシ４の柄４ａを図１３（ｂ）の矢印で示す左右方向ｂに動かないように位置決めできるので、ブラシ４を決まった向き（例えば、上向き）に安定的に保持できるようになり、しかも濡れたブラシ４を置いたときでもその水分がブラシ置き部６の勾配に沿って後側に排水されるので、ブラシ４が乾燥しやすいという利点もある。
【００２６】
図１４は、上記図１〜図１３で説明したトレイ１を、ミラーキャビネット１０に取り付ける場合の一例を示している。本例では、トレイ１の後端部に断面Ｌ字状の引掛け部１５を突設し、ミラーキャビネット１０におけるトレイ取付部２０の背面２０ａに横長スリット状の係止溝１６を穿設してある。しかして、トレイ１の引掛け部１５を係止溝１６に差し込み、図１４（ｂ）→（ｃ）のように引掛けることで、トレイ１の後壁１ｃがトレイ取付部２０の背面２０ａに密着する形となり、従来のようなトレイ１の下面を水平なトレイ受け等で支持する必要がなく、簡易且つ確実に取り付け可能となり、またトレイ１を取り外して簡単に掃除ができるようになる。
【００２７】
図１５（ａ）は更に他の実施形態であり、ミラーキャビネット１０及びトレイ１に、トレイ１を前方Ｆに引き出し可能となるように回転自在に支持するための回転支持部９を設けた場合の一例を示している。なお図１５（ａ）ではブラシ立て用の孔部２（図１）や筒部５（図９）の図示は省略している。本例では、トレイ１の前壁１ｂの一端が、例えば蝶番、軸と軸受け等のヒンジ機構（図示せず）からなる回転支持部９によってミラーキャビネット１０に回転自在に取り付けてある。ちなみにトレイ１を動かないように固定した場合、図１５（ｂ）のように下方に突き出るブラシ４の柄４ａが下段のトレイ１内の収納物体１３”の出し入れの邪魔になることがあり、また、図１５（ｃ）のようにトレイ１の後方部に収納されるブラシ４が前の収納物体１３”によって取り出しにくくなる。そこで本例では図１５（ａ）のようにトレイ１を前方Ｆに引き出すようにしてあるので、トレイ１の後方部に収納された収納物体の取り出しが容易となる。また本例ではトレイ１の後壁１ｃの両側コーナー部１ｅ，１ｅを平面視で円弧面状にそれぞれ形成している。これによりトレイ１の回転時にトレイ１の後壁１ｃがミラーキャビネット１０に引掛かることがなくなる。また、回転支持部９をトレイ１の前コーナーに寄せて配置してあるので、トレイ１の前方Ｆへの引き出し寸法を大きくできるという利点もある。
【００２８】
図１６〜図１９は更に他の実施形態であり、ミラーキャビネット１０に前方Ｆに開口し且つ上下方向に長い収納凹部８を設け、トレイ１の一部が収納凹部８内に収納したブラシ４の脱落防止部材を兼ねるようにした場合の一例を示している。図１６〜図１９においてブラシ立て用の孔部２（図１）や筒部５（図９）の図示は省略してある。図１６に示す例では、トレイ１は図１６（ａ）の矢印ａで示す前後方向に着脱可能に取り付けられていると共に、図１６（ｂ）に示すようにトレイ１には後方に突出する後方突出部１ｆと、側方に突出する側方突出部１ｇとが形成されており、トレイ１の内面に広い平滑な空間が確保されている。ミラーキャビネット１０はトレイ１の後方突出部１ｆを収納できるように後方に凹んでおり、さらにミラーキャビネット１０に設けた収納凹部８はトレイ１の側方突出部１ｇの後方に配置されている。この収納凹部８にはブラシ４をはじめ櫛や自立しない化粧道具が収納されるようになっている。
【００２９】
しかして、トレイ１の側方突出部１ｇが収納凹部８の前方を横切るように配置されることで、側方突出部１ｇがガードバーとして機能する結果、トレイ１とミラーキャビネット１０の収納凹部８とを利用してブラシ立てを形成できるようになると共に、トレイ１によってブラシ４の脱落を防止できるようになる。しかも、収納凹部８を前方に開放し且つトレイ１をガードバーとして機能させることで、ブラシ４は取り出しやすくなり、しかもトレイ１にガードバー的な役目をもたせることによって、脱落防止のための専用の部材を設ける必要がなく、低コスト化を図ることができる。また本例ではトレイ１の外周壁全体が湾曲状に形成されていると共に、トレイ１の前壁１ｂとミラー扉１１とが略面一状に形成され、且つトレイ１の側壁１ｄとミラーキャビネット１０の側壁１０ａとが略面一状に形成されているため、トレイ１の内面が見栄えの良い曲面に保たれ、全体が角張っている場合と比較して、外観が向上するという利点もある。
【００３０】
また図１６の変形例として図１７（ａ）（ｂ）で示すように、トレイ１を高さ調整可能に取り付けるのが望ましい。この場合、ブラシ４等、収納する物の長さに応じてトレイ１の高さ位置を変更することができ、収納する物の長さに応じて脱落防止を図ることができるようになる。また図１８に示すように、収納凹部８をトレイ１の外側の側壁１ｄの後側に寄せて形成してもよく、この場合、トレイ１の後方突出部１ｆがガードバーとして機能するようになり、また後方突出部１ｆを図１６の場合よりも更に広げることができるので、トレイ１の内部の空間を一層広げることができるようになる。さらに、図１９に示すように、収納凹部８を上下複数設けると共に、上下複数のトレイ１を各収納凹部８のガードバーとしてそれぞれ機能させるようにしてもよい。この場合、収納凹部８ごとにブラシ４等を複数収納できると共に、各収納凹部８ごとにブラシ立てとしての機能を確保できるものである。
【００３１】
【発明の効果】
上述のように請求項１記載の発明にあっては、トレイにブラシ立て用の孔部を穿設すると共に、該孔部の周縁にブラシ倒れ防止用のガイドを立設したので、孔部がブラシ立て機能を持つことによって、トレイにブラシ立て専用の別部品を新たに設ける必要がなく、低コストを図ることができ、しかもガイドによってブラシの倒れを防止できるので、トレイを利用してブラシ（櫛や自立しない化粧道具等を含む）を安定良く立てた状態で保持でき、取り出しがしやすくなり、そのうえブラシを平置きしないため、トレイ内のスペースがブラシで制約されることがなく、効率良く収納できるものである。
【００３２】
また請求項２記載の発明は、請求項１記載の効果に加えて、上記孔部を複数設けたので、ブラシをはじめとする櫛や自立しない化粧道具を各孔部に個別に立てて収納できるので、それぞれの収納物体のからみ合いもなく、取り出しが容易となる。
【００３３】
また請求項３記載の発明は、請求項１記載の効果に加えて、上記孔部を複数のブラシが収納可能な平面視で横長状の開口部により形成したので、複数のブラシを横長状の開口部に効率良く且つ安定良く立てて保持できると共に、ブラシの異なる形状等に対応できるようになり、ブラシの形状が限定されるという不具合を防止できるようになる。
【００３４】
また請求項４記載の発明は、トレイにブラシ立て用の筒部を一体に設け、筒部にブラシを立てて収納できるようにしたので、筒部がブラシ立て機能を持つことによって、トレイにブラシ立て専用の別部品を新たに設ける必要がなく、低コストを図ることができ、しかも筒部によってブラシの倒れを防止できるので、トレイを利用してブラシを安定良く立てた状態で収納でき、取り出しがしやすくなり、且つ外観良く収納できるという効果が得られる。
【００３５】
また請求項５記載の発明は、請求項４記載の効果に加えて、上記筒部を複数設けたので、ブラシをはじめとする櫛や自立しない化粧道具を複数の筒部に個別に立てて収納できるので、それぞれの収納物体の取り出しが容易となる。
【００３６】
また請求項６記載の発明は、請求項４記載の効果に加えて、上記筒部を複数のブラシが収納可能な平面視で横長状に形成したので、複数のブラシを筒部に効率良く且つ安定良く立てて保持できると共に、ブラシの異なる形状等に対応できるようになり、ブラシの形状が限定されるという不具合を防止できるようになる。
【００３７】
また請求項７記載の発明は、トレイを複数に仕切り、少なくとも１つの仕切られた部分の底面部に前方上がりに傾斜したブラシ置き部を設けると共に、トレイの前壁にブラシの柄を位置決めするための上方に開口した凹所を形成したので、前方上がりに傾斜したブラシ置き部にブラシを置くことで、ブラシの柄をつかみやすくなり、しかも凹所にブラシの柄を位置決めすることで、ブラシを左右に動かないように保持でき、ブラシを決まった向き（例えば、上向き）に安定的に保持できるようになり、一層使いやすくなる。
【００３８】
また請求項８記載の発明は、上記請求項１乃至請求項７のいずれかに記載のトレイとトレイが取り付けられるミラーキャビネットに、トレイをミラーキャビネットの前方に引き出し可能となるように回転自在に支持するための回転支持部を設けたので、トレイを回転させてミラーキャビネットの前方に引き出すことによって、ブラシの柄が下側の収納物体の取り出しの邪魔になったりすることがなく、またトレイの後方部の収納物体が取り出しやすくなり、使い勝手が一層よくなる。
【００３９】
また請求項９記載の発明は、ミラーキャビネットに、上記請求項１乃至請求項７のいずれかに記載のトレイをミラーキャビネットに取り付けると共に、ミラーキャビネットにおけるトレイの近傍位置に前方に開口し且つ上下方向に長い収納凹部を設け、トレイの一部が収納凹部内に収納されるブラシ等の脱落防止部材を兼ねるので、トレイとミラーキャビネットの収納凹部とを利用してブラシ等を収納できると共に、トレイをガードバーとして機能させることで、ブラシが取り出しやすく且つ倒れにくくなり、そのうえ脱落防止のための専用の部材を設ける必要がなく、低コスト化を図ることができる。
【００４０】
また請求項１０記載の発明は、請求項９記載の効果に加えて、上記収納凹部を複数設けたので、各収納凹部ごとにブラシ等を複数収納できると共に、各収納凹部ごとにブラシ立て機能を確保できるようになる。
【図面の簡単な説明】
【図１】本発明の実施形態の一例を示し、（ａ）はブラシ立て機能を有するトレイの斜視図、（ｂ）は平面図、（ｃ）は（ｂ）のＡ−Ａ’線断面図である。
【図２】同上のミラーキャビネットを示し、（ａ）は正面図、（ｂ）は右側面図、（ｃ）は照明部付近の平面図、（ｄ）はトレイ付近の平面図である。
【図３】（ａ）は同上のガイドにより収納物体が落下するのを防止する場合の一例を示す断面図、（ｂ）はガイドがない場合の参考図である。
【図４】同上のトレイに設けられる孔部の他の実施形態の平面図である。
【図５】（ａ）は同上のトレイに設けられる孔部の更に他の実施形態の平面図、（ｂ）は更に他の実施形態の平面図である。
【図６】（ａ）は同上のトレイに設けられる横長状の開口（孔部）の実施形態の平面図、（ｂ）は（ａ）のＣ−Ｃ’線断面図である。
【図７】（ａ）は同上のトレイに設けられる横長状の開口（孔部）の更に他の実施形態の斜視図である。
【図８】（ａ）は同上のトレイに設けられる横長状の開口（孔部）の更に他の実施形態の斜視図、（ｂ）は（ａ）のＢ−Ｂ’線断面図である。
【図９】（ａ）はブラシ立て機能を有するトレイの斜視図、（ｂ）は他の実施形態の斜視図である。
【図１０】同上の筒部にスリットを設けた場合の斜視図である。
【図１１】（ａ）は同上のトレイに複数の筒部を設けた場合の実施形態を示す斜視図、（ｂ）は同上の横長状の筒部を設けた場合の実施形態を示す斜視図である。
【図１２】同上のトレイにブラシを立てて保持した状態を示す正面図である。
【図１３】（ａ）は同上のトレイ置き機能を有するトレイの斜視図、（ｂ）はブラシを置いた状態の説明図である。
【図１４】同上のトレイをミラーキャビネットに取り付ける場合を示し、（ａ）はトレイの平面図、（ｂ）は（ａ）のＤ−Ｄ’線に沿うトレイとミラーキャビネットの断面図、（ｃ）はトレイをミラーキャビネットの係止溝に係止させた状態の断面図である。
【図１５】（ａ）は同上のトレイを前方に引き出し可能に回転支持した状態を説明する斜視図であり、（ｂ）（ｃ）はトレイを固定した場合の参考図である。
【図１６】同上のミラーキャビネットに収納凹部を設けると共に、トレイをガードバーとして機能させる場合の実施形態を示し、（ａ）は斜視図、（ｂ）は平面断面図である。
【図１７】（ａ）（ｂ）は同上のトレイを上下方向に移動可能とした場合の斜視図である。
【図１８】同上のトレイの他の形状を説明する平面断面図である。
【図１９】同上の収納凹部及びトレイをそれぞれ複数設けた場合の実施形態の斜視図である。
【符号の説明】
１  トレイ
１ａ  底面部
２  孔部
２Ａ  開口部
３  ガイド
４  ブラシ
４ａ  柄
５  筒部
６  ブラシ置き部
７  凹所
８  収納凹部
９  回転支持部
１０  ミラーキャビネット
Ｆ  前方
【図１】
2004173816.tif 000003
【図２】
2004173816.tif 000004
【図３】
2004173816.tif 000005
【図４】
2004173816.tif 000006
【図５】
2004173816.tif 000007
【図６】
2004173816.tif 000008
【図７】
2004173816.tif 000009
【図８】
2004173816.tif 000010
【図９】
2004173816.tif 000011
【図１０】
2004173816.tif 000012
【図１１】
2004173816.tif 000013
【図１２】
2004173816.tif 000014
【図１３】
2004173816.tif 000015
【図１４】
2004173816.tif 000016
【図１５】
2004173816.tif 000017
【図１６】
2004173816.tif 000018
【図１７】
2004173816.tif 000019
【図１８】
2004173816.tif 000020
【図１９】
2004173816.tif 000021